(57)【要約】【課題】二重構造の側壁と端壁を有する組立式の箱を、容易に解体できるようにする。【解決手段】内端板９の折曲片１３を両側に分割して、その間の部分を指掛片１４とし、指掛片１４に指入穴１４ａを設け、折曲片１３と指掛片１４の境界に、内側板６の折曲片１２が重なる部分から間隔をあけて切込１５を入れ、内端板９の両側部に、先端の切込１５に臨む位置から基端外側へかけて斜めに延びる折目線１６を入れる。指掛片１４の指入穴１４ａに指を掛け、指掛片１４を引っ張ると、切込１５及び折目線１６の存在により、内端板９が折目線１６沿いに屈曲し、内端板９の両側の折曲片１３が斜めに撓み、内側板６の折曲片１２との重なりが外れる。【選択図】図３
2008308202.tif 000002
【特許請求の範囲】
【請求項１】
基板(1)の周囲に側壁(2)及び端壁(3)を設け、側壁(2)は、基板(1)に順次繋がる外側板(4)及び内側板(6)から形成し、端壁(3)は、基板(1)に順次繋がる外端板(7)及び内端板(9)から形成し、隣接する側壁(2)と端壁(3)とを、外端板(7)と内端板(9)の間に挟まれる挟持片(10,11)を介して連結し、内端板(9)の先端から延びる折曲片(13)に、内側板(6)の先端から延びる折曲片(12)を重ね、内端板(9)の迫り出しを防止すると共に、側壁(2)及び端壁(3)の起立状態を維持する箱において、
前記内端板(9)の折曲片(13)を両側に分割して、その間の部分を指掛片(14)とし、指掛片(14)に指入穴(14a)を設け、折曲片(13)と指掛片(14)の境界に、内側板(6)の折曲片(12)が重なる部分から間隔をあけて切込(15)を入れ、内端板(9)の両側部に、先端の切込(15)に臨む位置から基端外側へかけて斜めに延びる折目線(16)を入れたことを特徴とする箱。
【発明の詳細な説明】
【技術分野】
【０００１】
この発明は、二重構造の側壁と端壁とを連結して組み立て、その連結を解除して解体できる箱に関するものである。
【背景技術】
【０００２】
例えば、ギフト箱の蓋として、図５に示すように、基板５１の周囲に側壁５２及び端壁５３を設け、側壁５２は、基板５１に順次繋がる外側板５４及び内側板５５から形成し、端壁５３は、基板５１に順次繋がる外端板５６及び内端板５７から形成し、隣接する側壁５２と端壁５３とを、外端板５６と内端板５７の間に挟まれる挟持片５８，５９を介して連結し、内端板５７の先端から延びる折曲片６１に、内側板５５の先端から延びる折曲片６０を重ね、内端板５７の迫り出しを防止すると共に、側壁５２及び端壁５３の起立状態を維持するものが使用されている。
【発明の開示】
【発明が解決しようとする課題】
【０００３】
しかしながら、上記のような箱では、廃棄に伴い解体する際、内端板５７を跳ね上げて側壁５２と端壁５３との連結を解除するのが困難なため、側壁５２と端壁５３の稜部で挟持片５８，５９を破る場合が多く、大きな力を要するという問題がある。
【０００４】
そこで、この発明は、二重構造の側壁と端壁を有する組立式の箱を、容易に解体できるようにすることを課題とする。
【課題を解決するための手段】
【０００５】
上記のような課題を解決するため、この発明は、内端板の折曲片を両側に分割して、その間の部分を指掛片とし、指掛片に指入穴を設け、折曲片と指掛片の境界に、内側板の折曲片が重なる部分から間隔をあけて切込を入れ、内端板の両側部に、先端の切込に臨む位置から基端外側へかけて斜めに延びる折目線を入れることにより、指掛片の指入穴に指を掛け、指掛片を引っ張ると、内端板が折目線沿いに屈曲して、内端板の両側の折曲片が斜めに撓み、内側板の折曲片との重なりが外れるようにしたのである。
【発明の効果】
【０００６】
この発明に係る箱は、指掛片の指入穴に指を掛け、指掛片を引っ張るだけで、内端板を跳ね上げて、側壁と端壁との連結を解除し、僅かな力で容易に解体することができ、解体方法も容易に理解することができる。
【０００７】
また、組み立てに際し、内端板を折目線沿いに屈曲させつつ、内端板と内側板の折曲片同士を容易に重ねることができ、組立作業を容易に行うことができる。
【発明を実施するための最良の形態】
【０００８】
以下、この発明の実施形態を添付図面に基づいて説明する。
【０００９】
図１に示す箱は、板紙を材料とするギフト箱の身箱であり、基板１の周囲に二重構造の側壁２及び端壁３を各一対設けたものとされている。
【００１０】
図２に示すこの身箱のブランクでは、基板１の周囲に各一対の側壁２及び端壁３が連設されている。側壁２には、外側板４、頂板５及び内側板６が基板１側から順次設けられ、端壁３には、外端板７、頂板８及び内端板９が基板１側から順次設けられている。
【００１１】
外側板４の側端と外端板７の側端とは、挟持片１０を介して繋がれ、挟持片１０には、基板１の角から折目線１０ａが設けられている。内側板６の側端には、挟持片１１が連設され、内側板６の先端には折曲片１２が連設されている。
【００１２】
内端板９の先端には、両側部にそれぞれ折曲片１３が連設され、その間の部分に半円状の指入穴１４ａを有する指掛片１４が連設されている。各折曲片１３と指掛片１４の境界には、それぞれ切込１５が入れられている。
【００１３】
また、内端板９の両側部には、先端の切込１５に臨む位置から基端外側へかけて斜めに延びる折目線１６が入れられており、この折目線１６は、折り曲げを容易にするため、切目が断続するものとされている。
【００１４】
このようなブランクを組み立てるには、図１に示すように、挟持片１０を折目線１０ａに沿って谷折りしつつ、基板１から外側板４及び外端板７を起立させる。また、挟持片１１を組立状態で内側へ向くように折り曲げつつ、頂板５及び内側板６を巻き込むように折り曲げ、折曲片１２を基板１に沿って内側へ折り曲げる。
【００１５】
次に、頂板８及び内端板９を巻き込むように折り曲げ、挟持片１０，１１を外端板７と内端板９の間に挟み込み、折曲片１３及び指掛片１４を基板１に沿って内側へ折り曲げることにより、隣接する側壁２と端壁３とを連結し、内端板９の折曲片１３に内側板６の折曲片１２を重ねる。
【００１６】
このとき、切込１５及び折目線１６の存在により、内端板９を折目線１６沿いに屈曲させることができるので、内側板６の折曲片１２を持ち上げることなく、その下方に内端板９の折曲片１３を潜り込ませることができる。
【００１７】
そして、このように組み立てると、内端板９の下部の迫り出しが防止されると共に、側壁２及び端壁３の起立状態が維持される。また、この状態において、切込１５は、内側板６の折曲片１２が重なる部分から間隔をあけて内側に位置している。
【００１８】
一方、ギフト箱の受取人がこの身箱を解体する際には、図３に示すように、指掛片１４の指入穴１４ａに指を掛け、指掛片１４を引っ張ると、切込１５及び折目線１６の存在により、内端板９が折目線１６沿いに屈曲し、内端板９の両側の折曲片１３が斜めに撓み、内側板６の折曲片１２との重なりが外れる。
【００１９】
このため、図４に示すように、内端板９を跳ね上げて、外端板７と内端板９の間から挟持片１０，１１を解放することにより、側壁２と端壁３との連結を解除し、僅かな力で容易に解体して、扁平な状態で廃棄することができる。
【００２０】
また、この解体方法は、指入穴１４ａを有する指掛片１４を見れば、特に説明を記載しなくても、直感的に理解することができる。
【００２１】
ところで、上記実施形態では、側壁２の頂板５と端壁３の頂板８とが額縁を形成する身箱について説明したが、このような構成は、額縁のないギフト箱の蓋や、蓋のないトレーにも適用できる。
【００２２】
また、外端板７と内端板９の間に、外側板４及び内側板６からそれぞれ延びる挟持片１０，１１を挟み込むものを例示したが、そのいずれか一方のみを挟み込む箱においても、同様の構成を適用することができる。
【図面の簡単な説明】
【００２３】
【図１】この発明の実施形態に係る身箱の組立状態を示す斜視図
【図２】同上のブランクを示す図
【図３】同上の解体過程を示す斜視図
【図４】同上の解体状態を示す斜視図
【図５】従来の箱の蓋を示す斜視図
【符号の説明】
【００２４】
１  基板
２  側壁
３  端壁
４  外側板
５  頂板
６  内側板
７  外端板
８  頂板
９  内端板
１０，１１  挟持片
１２，１３  折曲片
１４  指掛片
１４ａ  指入穴
１５  切込
１６  折目線
【図１】
2008308202.tif 000003
【図２】
2008308202.tif 000004
【図３】
2008308202.tif 000005
【図４】
2008308202.tif 000006
【図５】
2008308202.tif 000007